(57)【要約】  近位側で基部に動作可能に取り付けられた膨張体と、エアベントに取り付けるために基部の遠位側に取り付けられた再剥離性接着剤とを含む、エアベント上で使用するためのベントバルーン。ベントバルーンの膨張体を基部を介してエアベントに着脱可能に接着することと、膨張体に空気を通すことと、膨張体を膨張させることとによる、ベントバルーンの使用方法。部屋に匂いを分散させるためのベントバルーン。ベントバルーンを使用して部屋に匂いを分散させる方法。平坦面上で使用するためのベントバルーン。平坦面上でのベントバルーンの使用方法。【選択図】図４
2020519940.tif 000002
【特許請求の範囲】
【請求項１】
近位側で基部に動作可能に取り付けられた膨張体と、
エアベントに取り付けるために前記基部の遠位側に取り付けられた再剥離性接着剤と、を備える、エアベント上で使用するためのベントバルーン。
【請求項２】
前記膨張体が、ポリエチレン、Mylar、及び箔からなる群から選択される材料から作られる、請求項１に記載のベントバルーン。
【請求項３】
前記膨張体が、レイフラットポリエチレン袋及びガセット付きポリエチレン袋からなる群から選択されるポリエチレン袋である、請求項１に記載のベントバルーン。
【請求項４】
前記膨張体が、閉鎖端と、前記基部に動作可能に取り付けられる開放端と、を含む、請求項１に記載のベントバルーン。
【請求項５】
前記膨張体が、前記ベントバルーンから空気を放出するための少なくとも１つのベントを含む、請求項１に記載のベントバルーン。
【請求項６】
前記膨張体が、前面側と、前面側及び後面側の両方とから選択された側に印刷されたデザインを含む、請求項１に記載のベントバルーン。
【請求項７】
前記デザインが、休暇の挨拶、お祝い、個人的なメッセージ、漫画のキャラクタ、一般的なお祝いのデザイン、及びプロモーション広告からなる群から選択される、請求項６に記載のベントバルーン。
【請求項８】
前記基部が、段ボール、波形プラスチック、及び成形プラスチックからなる群から選択された材料から作られる、請求項１に記載のベントバルーン。
【請求項９】
前記基部が、長方形であり、標準的なエアベントの上にはまる、請求項１に記載のベントバルーン。
【請求項１０】
前記基部の前記遠位側上の前記再剥離性接着剤を覆う着脱可能な保護ストリップをさらに含む、請求項１に記載のベントバルーン。
【請求項１１】
ベントバルーンの膨張体を基部を介してエアベントに着脱可能に接着するステップと、
前記膨張体に空気を通すステップと、
前記膨張体を膨張させるステップと、を含むベントバルーンの使用方法。
【請求項１２】
前記着脱可能に接着するステップが、前記基部の遠位側を前記エアベントに着脱可能に接着することとしてさらに定義される、請求項１１に記載の方法。
【請求項１３】
前記膨張させるステップが、前記膨張体を直立させて、見えない本体上のデザインを表示することを含む、請求項１１に記載の方法。
【請求項１４】
前記ベントバルーンが前記エアベントから離昇することなく膨張した形状を維持するように、前記膨張体の少なくとも１つのベントを通して、前記膨張体に空気の一部を流すステップをさらに含む、請求項１１に記載の方法。
【請求項１５】
前記膨張体が、レイフラットポリエチレン袋及びガセット付きポリエチレン袋からなる群から選択されるポリエチレン袋である、請求項１１に記載の方法。
【請求項１６】
前記膨張体が、休暇の挨拶、お祝い、個人的なメッセージからなる群から選択されるデザインを含む、請求項１１に記載の方法。
【請求項１７】
近位側で基部に動作可能に取り付けられた膨張体と、
エアベントに取り付けるために前記基部の遠位側に取り付けられた再剥離性接着剤と、
前記部屋に匂いを分散させるために前記ベントバルーンに動作可能に取り付けられた少なくとも１つの匂い機構と、を備える、部屋に匂いを分散させるためのベントバルーン。
【請求項１８】
前記匂い機構が、前記基部に動作可能に取り付けられて、前記基部上の中央バーで支持される、請求項１７に記載のベントバルーン。
【請求項１９】
前記匂い機構が、前記膨張体上のデザインに関連する匂いを含む、請求項１７に記載のベントバルーン。
【請求項２０】
前記膨張体が、ポリエチレン、Mylar、及び箔からなる群から選択される材料から作られる、請求項１７に記載のベントバルーン。
【請求項２１】
前記膨張体が、レイフラットポリエチレン袋及びガセット付きポリエチレン袋からなる群から選択されるポリエチレン袋である、請求項１７に記載のベントバルーン。
【請求項２２】
前記膨張体が、閉鎖端と、前記基部に動作可能に取り付けられる開放端とを含む、請求項１７に記載のベントバルーン。
【請求項２３】
前記膨張体が、前記ベントバルーンから空気を放出するための少なくとも１つのベントを含む、請求項１７に記載のベントバルーン。
【請求項２４】
前記膨張体が、前面側と、前面側及び後面側の両方とから選択された側に印刷されたデザインを含む、請求項１７に記載のベントバルーン。
【請求項２５】
前記デザインが、休暇の挨拶、お祝い、個人的なメッセージ、漫画のキャラクタ、一般的なお祝いのデザイン、及びプロモーション広告からなる群から選択される、請求項２４に記載のベントバルーン。
【請求項２６】
前記基部が、段ボール、波形プラスチック、及び成形プラスチックからなる群から選択された材料から作られる、請求項１７に記載のベントバルーン。
【請求項２７】
前記基部が、長方形であり、標準的なエアベントの上にはまる、請求項１７に記載のベントバルーン。
【請求項２８】
前記基部の前記遠位側上の前記再剥離性接着剤を覆う着脱可能な保護ストリップをさらに含む、請求項１７に記載のベントバルーン。
【請求項２９】
ベントバルーンの膨張体を基部を介してエアベントに着脱可能に接着するステップと、
空気を前記膨張体に通して少なくとも１つの匂い機構上に流すステップと、
前記匂いを前記空気中に放出するステップと、
前記膨張体を膨張させるステップと、
前記膨張体上のベントを通して匂い付き空気を前記部屋に流し込むことと、を含む、部屋に匂いを分散させる方法。
【請求項３０】
前記匂い機構が、前記膨張体の内部、及び、基部からなる群から選択される位置に動作可能に取り付けられる、請求項２９に記載の方法。
【請求項３１】
前記匂い機構が、前記膨張体上のデザインに関連する匂いを含む、請求項２９に記載の方法。
【請求項３２】
前記膨張させるステップが、前記膨張体を直立させて、見えない本体上のデザインを表示することを含む、請求項２９に記載の方法。
【請求項３３】
前記ベントバルーンが前記エアベントから離昇することなく膨張した形状を維持するように、前記膨張体の少なくとも１つのベントを通して、前記膨張体に空気の一部を流すステップをさらに含む、請求項２９に記載の方法。
【請求項３４】
前記膨張体が、レイフラットポリエチレン袋及びガセット付きポリエチレン袋からなる群から選択されるポリエチレン袋である、請求項２９に記載の方法。
【請求項３５】
前記膨張体が、休暇の挨拶、お祝い、個人的なメッセージからなる群から選択されるデザインを含む、請求項２９に記載の方法。
【請求項３６】
近位側で基部に動作可能に取り付けられた膨張体と、
前記膨張体に空気を流し込むために電源コードによって電力供給されている、前記基部に動作可能に取り付けられたファンと、
前記平坦面上に取り付けるために前記基部の遠位側でパッドに取り付けられた再剥離性接着剤と、を備える、平坦面上で使用するためのベントバルーン。
【請求項３７】
前記膨張体が、ポリエチレン、Mylar、及び箔からなる群から選択される材料から作られる、請求項３６に記載のベントバルーン。
【請求項３８】
前記膨張体が、レイフラットポリエチレン袋及びガセット付きポリエチレン袋からなる群から選択されるポリエチレン袋である、請求項３６に記載のベントバルーン。
【請求項３９】
前記膨張体が、閉鎖端と、前記基部に動作可能に取り付けられる開放端とを含む、請求項３６に記載のベントバルーン。
【請求項４０】
前記膨張体が、前記ベントバルーンから空気を放出するための少なくとも１つのベントを含む、請求項３６に記載のベントバルーン。
【請求項４１】
前記膨張体が、前面側と、前面側及び後面側の両方とから選択された側に印刷されたデザインを含む、請求項３６に記載のベントバルーン。
【請求項４２】
前記デザインが、休暇の挨拶、お祝い、個人的なメッセージ、漫画のキャラクタ、一般的なお祝いのデザイン、及びプロモーション広告からなる群から選択される、請求項４１に記載のベントバルーン。
【請求項４３】
前記基部が、段ボール、波形プラスチック、及び成形プラスチックからなる群から選択された材料から作られる、請求項３６に記載のベントバルーン。
【請求項４４】
前記パッド上の前記再剥離性接着剤を覆う着脱可能な保護ストリップをさらに含む、請求項３６に記載のベントバルーン。
【請求項４５】
前記電源コードが、ＵＳＢ電源コード、ライトニング電源コード、ＡＣ／ＤＣ電源コード、及びバッテリに接続するコードからなる群から選択される、請求項３６に記載のベントバルーン。
【請求項４６】
前記ファンが、ベント穴を有する基部インサートの近位側に作動可能に取り付けられ、メッシュスクリーンが、前記基部インサートの遠位側の前記ベント穴上に作動可能に取り付けられ、
前記基部インサートの前記遠位側が、前記基部の内側に接着される、請求項３６に記載のベントバルーン。
【請求項４７】
前記基部が遠位側にベント穴を含み、メッシュスクリーンが、前記基部の内側の前記ベント穴上に作動可能に取り付けられ、前記ファンが、前記メッシュスクリーンに作動可能に取り付けられる、請求項３６に記載のベントバルーン。
【請求項４８】
前記ベント穴が、円及び正方形から選択される形状である、請求項４７に記載のベントバルーン。
【請求項４９】
前記基部に作動可能に取り付けられて、前記電源コードによって電力が供給される、ＬＥＤフラッシュサウンドモジュール、ＬＥＤフラッシュ光モジュール、匂い機構、及びこれらの組合せからなる群から選択される機構をさらに含む、請求項３６に記載のベントバルーン。
【請求項５０】
前記ベントバルーンの膨張体を基部を介して前記平坦面に着脱可能に接着するステップと、
前記ベントバルーンに電力を供給するステップと、
前記基部のファンを作動させるステップと、
前記ファンによって前記膨張体に空気を通すステップと、
前記膨張体を膨張させるステップと、を含む、平坦面上でのベントバルーンの使用方法。
【請求項５１】
前記着脱可能に接着するステップが、前記基部の遠位側上のパッドを前記平坦面に着脱可能に接着することとしてさらに定義される、請求項５０に記載の方法。
【請求項５２】
前記膨張させるステップが、前記膨張体を直立させて、見えない本体上のデザインを表示することを含む、請求項５０に記載の方法。
【請求項５３】
前記ベントバルーンが前記エアベントから離昇することなく膨張した形状を維持するように、前記膨張体の少なくとも１つのベントを通して、前記膨張体に空気の一部を流すステップをさらに含む、請求項５０に記載の方法。
【請求項５４】
前記膨張体が、レイフラットポリエチレン袋及びガセット付きポリエチレン袋からなる群から選択されるポリエチレン袋である、請求項５０に記載の方法。
【請求項５５】
前記膨張体が、休暇の挨拶、お祝い、個人的なメッセージからなる群から選択されるデザインを含む、請求項５０に記載の方法。
【請求項５６】
ＬＥＤフラッシュサウンドモジュール、ＬＥＤフラッシュ光モジュール、匂い機構、及びこれらの組合せからなる群から選択される機構を作動させるステップをさらに含む、請求項５０に記載の方法。
【請求項５７】
前記電力を供給するステップが、電源コードを電源に差し込むこと、及び、オン／オフスイッチを作動させることからなる群から選択される、請求項５０に記載の方法。
【発明の詳細な説明】
【技術分野】
【０００１】
[0001]  本発明は、バルーン及び膨張可能物体に関する。より詳細には、本発明は、エアベント上で使用するためのバルーンに関する。
【背景技術】
【０００２】
[0002]  バルーンは、誕生日、卒業式、記念日、ベビーシャワー（baby showers）、退職、及び休暇などのお祝いのイベント及びパーティーのために、多くの人々によって使用されている。ヘリウムのバルーンは、店舗で充填することができるが、その後、車両で住宅又はイベント会場に運搬しなければならず、扱いにくい可能性がある。他の標準的なバルーンは、住宅で空気を吹き込むことによって充填させることができるが、これも難しく、面倒である可能性がある。
【０００３】
[0003]  バルーンは、エアベント上に取り付けられて、空気がそのエアベントから流れ出ることによって膨張するように設計されている。Stoddardへの米国特許第５，１８６，６７５号は、ユーザの好みに合うように模様がつけられて成形された可撓性材料から作られる膨張可能バルーンを含む、ベント空気出口のための膨張可能ベント玩具を開示している。その玩具は、ベント空気出口上に基部を固定するための取付構造が取り囲んでいる空気入口を規定する基部を有し、それにより、空気入口は、ベント空気出口と連通し、第１モードでは、ベントからの流入空気が基部空気入口に入ってバルーンを充填することが可能であり、第２モードでは、ベントからの流入空気が止まると、流出して崩壊させることが可能である。基部構造は一般に、磁石、留め具、フック、又はストラップでベントに着脱可能に取り付けられる。膨張可能ベント玩具は、ゴースト若しくはゴブリンなどの形状とすることができ、又は、スポーツ選手若しくは映画のキャラクタの画像を含むことができる。
【０００４】
[0004]  熱風ベント上で使用することによる製造物責任、厚紙の安っぽい外観品質などの、段ボールの基部を有するベントバルーンを使用することによるいくつかの欠点がある。従って、エアベントからの空気を効果的に利用して、安全に使用することもできる、住宅での使い勝手のよいバルーンがなお必要とされている。
【発明の概要】
【０００５】
[0005]  本発明は、近位側で基部に動作可能に取り付けられた膨張体と、エアベントに取り付けるために基部の遠位側に取り付けられた再剥離性接着剤と、を含む、エアベント上で使用するためのベントバルーンを提供する。
【０００６】
[0006]  本発明は、ベントバルーンの膨張体を基部を介してエアベントに着脱可能に接着することと、膨張体に空気を通すことと、膨張体を膨張させることとによる、ベントバルーンの使用方法を提供する。
【０００７】
[0007]  本発明は、近位側で基部に動作可能に取り付けられた膨張体と、エアベントに取り付けるために基部の遠位側に取り付けられた再剥離性接着剤と、部屋に匂いを分散させるためにベントバルーンに動作可能に取り付けられた少なくとも１つの匂い機構と、を含む、部屋に匂いを分散させるためのベントバルーンを提供する。
【０００８】
[0008]  本発明は、ベントバルーンの膨張体を、基部を介してエアベントに着脱可能に接着することと、空気を膨張体に通して少なくとも１つの匂い機構上に流すことと、匂いを空気中に放出することと、膨張体を膨張させることと、膨張体上のベントを通して匂い付き空気を部屋に流し込むこととによる、部屋に匂いを分散させる方法も提供する。
【０００９】
[0009]  本発明は、近位側で基部に動作可能に取り付けられた膨張体と、膨張体に空気を流し込むために電源コードによって電力供給されている、基部に動作可能に取り付けられたファンと、平坦面上に取り付けるために基部の遠位側でパッドに取り付けられた再剥離性接着剤とを含む、平坦面上で使用するためのベントバルーンを提供する。
【００１０】
[00010]  本発明は、ベントバルーンの膨張体を基部を介して平坦面に着脱可能に接着することと、ベントバルーンに電力を供給することと、基部のファンを作動させることと、ファンによって膨張体に空気を通すことと、膨張体を膨張させることと、による、平坦面上でのベントバルーンの使用方法を提供する。
【００１１】
[00011]  添付図面を参照して以下の詳細な説明によって本発明を適切に理解すれば、本発明の他の利点は容易に理解されるであろう。
【図面の簡単な説明】
【００１２】
【図１】本発明のベントバルーンの写真である。
【図２】エアベントの近くにあるベントバルーンの写真である。
【図３】エアベントの上にベントバルーンを配置した写真である。
【図４】膨張してエアベントの上に位置付けられたベントバルーンの写真である。
【図５】レイフラットポリエチレン袋の写真である。
【図６Ａ】基部と膨張体との組立ての図である。
【図６Ｂ】基部と膨張体との組立ての図である。
【図６Ｃ】基部と膨張体との組立ての図である。
【図６Ｄ】基部と膨張体との組立ての図である。
【図６Ｅ】基部と膨張体との組立ての図である。
【図６Ｆ】基部と膨張体との組立ての図である。
【図６Ｇ】基部と膨張体との組立ての図である。
【図７】組み立てられたベントバルーンの写真である。
【図８Ａ】レイフラットポリエチレン袋の概略図である。
【図８Ｂ】膨張したレイフラットポリエチレン袋ベントバルーンの写真である。
【図９Ａ】ガセット付きポリエチレン袋の概略図である。
【図９Ｂ】膨張したガセット付きポリエチレン袋ベントバルーンの側面斜視図である。
【図１０】基部を有するフィルタ／匂い機構の図である。
【図１１Ａ】異なる溝方向を有する基部の上面図である。
【図１１Ｂ】異なる溝方向を有する基部の上面図である。
【図１２】基部のフィルタ／匂い機構の底面図である。
【図１３】ベントを有する膨張体の正面図である。
【図１４】ラップトップによって動かされる卓上ベントバルーンの正面図である。
【図１５Ａ】電源コードを有するベントバルーンの正面図である。
【図１５Ｂ】電源コードを有するベントバルーンの背面図である。
【図１５Ｃ】電源コードを有するベントバルーンの折りたたまれた膨張体の上面図である。
【図１６Ａ】四角いベント穴を有する基部の底面図である。
【図１６Ｂ】円形のベント穴を有する基部の底面図である。
【図１６Ｃ】四角いベント穴を有する基部の底面図である。
【図１７Ａ】基部インサート及びファンの図である。
【図１７Ｂ】ファンが取り付けられた基部インサートの近位側の図である。
【図１７Ｃ】基部インサート及びメッシュスクリーンの遠位側の図である。
【図１７Ｄ】メッシュスクリーンが取り付けられた基部インサートの遠位側の図である。
【図１７Ｅ】基部での基部インサートの図である。
【図１７Ｆ】基部での膨張体の図である。
【図１７Ｇ】電源コードを有する組み立てられたベントバルーンの上面図である。
【図１８Ａ】円形のベント穴を有する基部の内側の図である。
【図１８Ｂ】基部の遠位側及び近位側の図である。
【図１８Ｃ】ベント穴の上にメッシュスクリーンがある基部の図である。
【図１８Ｄ】メッシュスクリーンにファンが取り付けられた基部の図である。
【図１８Ｅ】膨張体が取り付けられた基部の図である。
【図１９Ａ】四角いベント穴を有する基部の内側の図である。
【図１９Ｂ】基部の遠位側及び近位側の図である。
【図２０】パッドを有する基部の側面斜視図である。
【図２１Ａ】サウンドモジュールを表す。
【図２１Ｂ】光モジュールを表す。
【図２２Ａ】バッテリを有するファンの上面図である。
【図２２Ｂ】バッテリパックを有するファンの上面図である。
【図２２Ｃ】バッテリを有するファンの上面図である。
【図２２Ｄ】バッテリパックを有するファンの上面図である。
【発明を実施するための形態】
【００１３】
[00034]  本発明は、図において１０で示され、エアベント１２の上に置かれたとき、エアベント１２を通って流れる冷風又は熱風によって膨張する、ベントバルーンを提供する。ベントバルーン１０は、近位側１８で基部１６に動作可能に取り付けられた膨張体１４と、基部１６の遠位側２２に取り付けられた再剥離性接着剤２０と、を含む。
【００１４】
[00035]  膨張体１４は好ましくは、開放端１７と閉鎖端１９とを有するポリエチレン袋である。膨張体１４は、Mylar又は箔から作ることもできる。開放端１７は、気密シールで基部１６に動作可能に取り付けられる。１つの実施形態において、膨張体１４は、図１〜図５、図７、及び図８Ａ〜図８Ｂに示されるように、レイフラットポリエチレン袋２４である。レイフラットポリエチレン袋２４は、図５及び図８Ａでは、基部１６がない状態で示されている。別の実施形態において、膨張体１４はガセット付きポリエチレン袋２６であり、図９Ａには基部１６がない状態で示され、図９Ｂには基部１６がある状態で示されている。膨張体１４は、ベントバルーン１０から段階的に空気を放出して、ベントバルーン１０に空気を通し、さらに、図１３に示されるように、膨張体１４が直立できるようにするために、実質的に膨張体１４のスリットとすることができる少なくとも１つのベント２８を任意の適切な位置に含むことができる。それぞれ異なる寸法のベントバルーン１０は、異なる数のベント２８を有することができる。たとえば、２０インチの高さの膨張体１４は、３つのベント２８又は４つのベント２８を有することができ、それぞれの寸法は直径１／４インチで、膨張体１４の閉鎖端１９の近くで一列になっている。２６インチの高さの膨張体１４は、３つのベント２８又は４つのベント２８を有することができ、それぞれの寸法は直径１／２インチである。３０インチの高さの膨張体１４は、３つのベント２８又は４つのベント２８を有することができ、寸法は任意の適切な直径である。
【００１５】
[00036]  膨張体１４は、前面側３２、又は、前面側３２及び後面側３４の両方に印刷されたデザイン３０をさらに含む。デザイン３０は、前面側３２及び後面側３４で同じとすることができ、又は、各側３２、３４で異なるようにすることもできる。デザイン３０は、休暇の挨拶、お祝い、個人的なメッセージ、漫画のキャラクタ、一般的なお祝いのデザイン、又はプロモーション広告とすることができる。膨張体１４は任意の望ましい色（メタリックを含む）とすることもでき、デザイン３０は任意の望ましい色とすることができる。膨張体１４はさらに、長方形又は型抜き形状とすることができる。
【００１６】
[00037]  膨張体１４は、接着のり又は任意の他の適切な機構によって、下端１５で基部１６に動作可能に完全に取り付けられる。基部１６は、図１〜図５、図６〜図７、図８Ｂ、及び図９Ｂに示されている。基部１６は好ましくは、段ボール、波形プラスチック（溝付きポリプロピレンプラスチック）、又は、型抜きされた成形プラスチックから作られる。好ましくは、基部１６は、厚さ２．５ｍｍの溝付きポリプロピレンプラスチックから作られる。基部１６は、図１１Ａに示される、好ましくは垂直方向に伸びる溝流路４０を有することができる。これは、ベントバルーン１０の郵送を可撓性パッケージで行うことを可能にし、郵送コストを削減する。あまり好ましくはないが、基部１６は、図１１Ｂに示される、水平方向に伸びる溝流路４０を有することができる、しかしながら、これは、郵送コストを増加させる。基部１６は、標準的なエアベント１２にはまり、付着する任意の適切な形状及び寸法、好ましくは、長方形とすることができる。ベントバルーン１０は好ましくは、普通郵便処理による郵送のための１１．５インチ×５．２５インチの封筒内に収まるように寸法決めすることもできる。
【００１７】
[00038]  基部１６は、図６Ａ〜図６Ｇに示されるように製造することができ、次いで、長方形に折られる。図６Ａは、中央継目４６で接合された、基部１６の遠位側２２、及び近位側１８を示す。遠位側２２は少なくとも１つの遠位対向切抜き４２を含むことができ（図には中央バー４３で分離された２つが示されている）、近位側１８は近位対向切抜き４４を含むことができる。図６Ｂは、内部接着剤５０が塗布される前の、基部１６の内側４８を示す。図６Ｃは、内部接着剤５０が塗布された後の、内側４８を示し、内部接着剤５０は、保護ライナ５２を有する接着テープ、又は、ホットメルト接着剤とすることができる。内部接着剤５０は、膨張体１４を基部１６に固定する。内部接着剤５０は、膨張体１４を固定する任意の適切な位置に配置することができるが、好ましくは、図６Ｃに示されるように、近位対向切抜き４４、並びに、内部遠位側５８の内縁５４及び外縁５６を囲む。付加的なフィルタ又は匂い機構接着剤６０も、内部遠位側５８上に含むことができる。
【００１８】
[00039]  図６Ｄは、開放端で基部１６に取り付けるように位置付けられた膨張体１４を示す。近位対向切抜き４４に沿った内部接着剤５０上の保護ライナ５２が、接着剤を露出させるために取り外される。膨張体１４の開放端１７は、近位側１８から内側４８に、近位対向切抜き４４を通して引き出され、開放端１７の縁６０は、内部接着剤５０によって固定される（図６Ｅ（部分的に取り付けられた状態）及び図６Ｆ（完全に取り付けられた状態））。最終ステップでは、内部遠位側５８の内縁５４及び外縁５６に沿った内部接着剤５０上の保護ライナ５２が取り外される。図６Ｇに示されるように、遠位側２２は、中央継目４６に沿って近位側１８に合わせるために折られ、組み立てられたベントバルーン１０になる。
【００１９】
[00040]  基部１６の遠位側２２上の再剥離性接着剤２０は、ベントバルーン１０が使用されるまで再剥離性接着剤２０を保護する着脱可能な保護ストリップ２１によって覆うことができる。再剥離性接着剤２０は、遠位側２２に取り付けられたままであるが、遠位側２２をエアベント１２から簡単に取り外すことが可能であり、木製、プラスチック製、及び塗装されたエアベント１２を含む、任意の種類のエアベント１２上で使用することができる。一度ベントバルーン１０が取り外されると、再剥離性接着剤２０は再使用可能である可能性がある。再剥離性接着剤２０は、任意選択的に、磁気力で鋼ベントに固定することができる磁気テープであることができる。
【００２０】
[00041]  本発明は、膨張体１４を基部１６を介してエアベント１２に着脱可能に接着することと、膨張体１４に空気を通すことと、膨張体１４を膨張させることとによる、ベントバルーン１０の使用方法も提供する。より詳細には、基部１６の遠位側２２は、エアベント１２に着脱可能に接着される。ベントバルーン１０が膨張すると、膨張体１４は直立し、デザイン３０が表示されて、見ることができる。空気はまた、ベントバルーン１０がエアベント１２から離昇することなくその膨張した形状を維持するように、ベント２８を通って膨張体１４の外に流れる。ベントバルーン１０は、上記の特徴のどれでも含むことができ、レイフラットポリエチレン袋又はガセット付きポリエチレン袋を使用することができ、任意のデザインを含むことができる。ベントバルーン１０はまた、初めは折りたたんで、デザインを見にくくする又は隠すことができ、エアベント１２上に置かれると、膨張体１４は展開して膨張し、デザイン３０を明らかにする、特に、サプライズメッセージを明らかにする。
【００２１】
[00042]  ベントバルーン１０は、図１０に示される、少なくとも１つのフィルタ又は匂い機構３６をさらに含むこともでき、それは、空気がエアベント１２からベントバルーン１０を通って流れ、ベント２８を通って外に流れるときに起動し、部屋に匂いを分散させる。フィルタ／匂い機構３６は、基部１６の内側４８上（図１０に示される）、又は、膨張体１４の内部３８などの、任意の適切な位置にフィルタ接着剤６２で動作可能に取り付けることができる。図６Ｆのように膨張体１４を取り付けた後に、フィルタ／匂い機構３６は、（保護ライナ５２を取り外した後）フィルタ接着剤６２に取り付けることができ、次いで、遠位側２２は、図６Ｇのように近位側１８に合わせるために折られる。中央バー４３は、図１２に示されるように、フィルタ／匂い機構３６を支持する。フィルタ３６は香りをなくすことができ、又は、匂い機構３６は、ハロウィン又は秋のデザインのためのパンプキン用スパイスの匂い、クリスマスデザインのためのペパーミントの匂い、バレンタインデー又は記念日のデザインのためのバラ又はペパーミントの匂い、母の日のためのバラの匂い、若しくは、誕生日デザインのためのケーキの匂いなどの、デザイン３０に関連する匂いを含むことができる。匂い機構３６は、空気が流れて過ぎ去るときに匂いを放出する、匂いをその中に含有するゲル又は油を保持する容器を含むことができる。
【００２２】
[00043]  デザイン３０と関連する音楽のために、音楽のチップを中心バー４３上に含むこともできる。
【００２３】
[00044]  従って、本発明は、近位側１８で基部１６に動作可能に取り付けられた膨張体１４と、エアベント１２に取り付けるために基部１６の遠位側２２に取り付けられた再剥離性接着剤２０と、部屋に匂いを分散させるためにベントバルーン１０に動作可能に取り付けられた少なくとも１つの匂い機構３６と、を含む、部屋に匂いを分散させるためのベントバルーン１０を提供する。
【００２４】
[00045]  本発明は、ベントバルーン１０の膨張体１４を基部１６を介してエアベント１２に着脱可能に接着することと、空気を膨張体１４に通して少なくとも１つの匂い機構３６上に流すことと、匂いを空気中に放出することと、膨張体１４を膨張させることと、膨張体１４上のベント２８を通して匂い付き空気を部屋に流し込むこととによる、部屋に匂いを分散させる方法も提供する。上記のように、より詳細には、基部１６の遠位側２２は、エアベント１２に着脱可能に接着される。ベントバルーン１０が膨張すると、デザイン３０は見ることができる。空気はまた、ベントバルーン１０がエアベント１２から離昇することなくその膨張した形状を維持するように、ベント２８を通って膨張体１４の外に流れる。ベントバルーン１０は、上記の特徴のどれでも含むことができ、レイフラットポリエチレン袋又はガセット付きポリエチレン袋を使用することができ、任意のデザインを含むことができる。
【００２５】
[00046]  別の実施形態において、ベントバルーン１０’は、基部１６’に動作可能に取り付けられたファン７０を有する卓上など、任意の平坦面上で使用することができ、ファン７０には、膨張体１４’に空気を流し込むため、電源コード７２を通して電力が供給される。電源コード７２は、ＵＳＢ電源コード、ライトニング電源コード、ＡＣ／ＤＣ電源コード、バッテリ（９Ｖバッテリなど）若しくはバッテリパックに接続するコード、又は、任意の他の適切な種類の電源コードとすることができる。従って、電源コード７２は、種類に応じて、デスクトップコンピュータ、ラップトップ（図１４に示される）、タブレット、スマートフォン、又は壁面コンセントなどの電源７４に差し込むことができる。電源コード７２は、図２２Ａ〜図２２Ｄに示される、バッテリ１００又はバッテリパック１０２を通しての電力の場合、基部１６’において内部に配置することができる（そのいずれかは、単三電池、単四電池、又はコイン電池とすることができる）。バッテリ１００又はバッテリパック１０２は、基部１６’の任意の適切な位置に加熱溶融することができる。バッテリ１００又はバッテリパック１０２は任意選択的に、基部１６’を通してアクセスできるオン／オフスイッチ１０４を含むことができ、それにより、電源コード７２は差し込む必要はないが、オン／オフスイッチはベントバルーン１０’を駆動するために作動する。
【００２６】
[00047]  ベントバルーン１０’は、上記の特性のいずれかを有することができ、上記のように基部１６’に作動可能に取り付けられる膨張体１４’を含む。図１５Ａ、図１５Ｂ、及び図１５Ｃはそれぞれ、ベントバルーン１０’の正面図、背面図、及び折りたたまれた図を示す。基部１６’は、上記の特性のいずれかをさらに有することができる。
【００２７】
[00048]  ファン７０は、基部１６’に異なる外観を提供するいくつかの異なる方法で構成することができる（図１６Ａ〜図１６Ｃに示される）。基部１６’又は基部インサート８４は、ファン７０の通気を可能とするために、円形７８又は正方形８０いずれかの形状で、基部１６’の遠位側２２’上にベント穴７６を含む。ベント穴７６の直径は、使用される寸法ファン７０に応じて、より大きく又はより小さくすることができるが、好ましくは、ファン７０の直径より小さい。ファン７０の寸法は、膨張可能バッグ１４’の寸法に基づくこともでき、１８００立方フィート／分から６０００立方フィート／分を超える空気流量を有することができる。
【００２８】
[00049]  図１７Ａ〜図１７Ｆに示されるように、ファン７０は、ホットメルト接着（又は、任意の他の適切な接着機構）で、基部インサート８４（好ましくはプラスチックから作られる）の近位側８２に、作動可能に取り付けて、接着することができる。次に、基部インサート８４の遠位側８６上で、メッシュスクリーン８８（好ましくはプラスチック又は金属ワイヤから作られる）は、ホットメルト接着（又は、任意の他の適切な接着機構）で、ベント穴７６上に作動可能に取り付けられて、接着される。メッシュスクリーン８８は、ベント穴７６を完全に覆うように寸法決めされる。メッシュスクリーン８８の開口の寸法は、気流にとって重要であり、特定の寸法に決められた膨張体１４’を膨張させるのに適切な気流を実現するために使用される特定のファン７０に寸法決めされる。メッシュスクリーン８８の開口があまりに小さい場合、ファン７０を通る気流は制限される。開口はまた、個人の指がファン７０を通過して、電源がオンの場合にファン７０によって負傷しないように、十分に小さくなければならない。メッシュスクリーン８８は金属線から作ることができるが、これは、個人への郵便によって送られるベントバルーン１０’の重量影響を有する可能性もあり、プラスチックは、郵送されるモデルにおいて好ましい可能性がある。
【００２９】
[00050]  基部インサート８４の遠位側８６は、基部１６’の内側４８’に作動可能に取り付けられて、接着され、遠位対向切抜き４２’を覆い、それにより、基部インサート８４のベント穴７６は、遠位対向切抜き４２’のうちの１つに適合する（図１７Ｅ）。膨張体１４’は、上記のように基部１６’の近位対向切抜き４４’上に固定される。図１７Ｇは、遠位側２２’が上記のように近位側１８’に合わせるために折られたときの、折られた位置における、膨張体１４’を有する完成したベントバルーン１０’の上面図を示す。
【００３０】
[00051]  図１６Ｂ〜図１６Ｃ、図１８Ａ〜図１８Ｅ、及び図１９Ａ〜図１９Ｂのように、基部１６’自体が、遠位対向切抜き４２’の代わりにベント穴７６を含むことができる。図１８Ａは内側４８’の図を示し、図１８Ｂは、円形７８のベント穴７６を有する、基部１６’の近位側１８’及び遠位側２２’の図を示す。図１９Ａは内側４８’の図を示し、図１９Ｂは、正方形８０のベント穴７６を有する、基部１６’の近位側１８’及び遠位側２２’の図を示す。メッシュスクリーン８８は、図１８Ｃに示されるように、基部１６’の内側４８’上のベント穴７６の上に接着することができる。次に、ファン７０は、ベント穴７６上のメッシュスクリーン８８の頂部に接着することができる（図１８Ｄ）。次に、遠位側２２’は、上記のように近位側１８’に合わせるために折られ、図１７Ｇのように完成したベントバルーン１０’になる。
【００３１】
[00052]  基部１６’は、図２０に示されるように、基部１６’が置かれる平坦面から遠位側２２’を持ち上げるために、接着剤又は任意の他の接着機構で遠位側２２’に接着される複数のパッド９０を含むことができる。パッド９０は、遠位側２２’上の任意の望ましい場所に接着することができる。これは、ベント穴７６に空気を引き込むファン７０を介した、基部１６’への気流のために重要である。パッド９０の寸法は、厚さを１／４インチ又はそれより大きくすることができ、フェルト、発泡体、又は任意の他の適切な材料から作ることができる。パッドは、上記の再剥離性接着剤２０及び使用まで再剥離性接着剤を保護する保護護ストリップ２１’などの、平坦面に基部１６’を接着する任意の適切な再剥離性接着剤をさらに含むことができる。
【００３２】
[00053]  ベントバルーン１０’は、図２１Ａ〜図２１Ｂに示される、電源コード７２によっても電力が供給される、基部１６’内の任意の適切な場所に取り付けられたＬＥＤフラッシュサウンドモジュール９２及び／又はＬＥＤフラッシュ光モジュール９４をさらに含むことができる。電源コード７２が電源７４に差し込まれたとき、これらのモジュール９２及び９４は起動することができる。匂い機構３６は、電源７４に差し込まれたときに起動する電源コード７２とともに使用することもできる。これらのモジュールは任意の組合せで使用することができる。
【００３３】
[00054]  本発明は、膨張体１４’を基部１６’及びパッド９０を介して平坦面に着脱可能に接着することと、ベントバルーン１０’に電力を供給することと、基部１６’のファン７０を作動させることと、ファンによって膨張体１４’に空気を通すことと、膨張体１４’を膨張させることとによる、平坦面上でのベントバルーン１０’の使用方法も提供する。より詳細には、基部１６’の遠位側２２’上のパッド９０は、保護ストリップ２１’を取り外した後に、テーブルの上面又は机などの平坦面に着脱可能に接着することができる。ベントバルーン１０’は、電源コード７２を電源７４に差し込むことによって、又は、バッテリ１００若しくはバッテリパック１０２のオフ／オフスイッチ１０４を作動させることによって、電力を供給することができる。ベントバルーン１０’が膨張すると、膨張体１４’は直立し、デザイン３０’が表示されて、見ることができる。空気はまた、ベントバルーン１０’が平坦面から離昇することなくその膨張した形状を維持するように、ベント２８’を通って膨張体１４’の外に流れる。ベントバルーン１０’は、上記の特徴のどれでも含むことができ、レイフラットポリエチレン袋又はガセット付きポリエチレン袋を使用することができ、任意のデザインを含むことができる。ベントバルーン１０’はまた、初めは折りたたんで、デザインを見にくくする又は隠すことができ、ファン７０が起動されると、膨張体１４’は展開して膨張し、デザイン３０’を明らかにする、特に、サプライズメッセージを明らかにする。任意の匂い機構、ＬＥＤフラッシュサウンドモジュール９２、及び／又は、ＬＥＤフラッシュ光モジュール９４も、電源コード７２が差し込まれたときに作動することができる。ベントバルーン１０’の使用を止めることが望ましいとき、電源コード７２を電源７４から抜くことができる。
【００３４】
[00055]  本発明のベントバルーン１０にはいくつかの利点がある。基部１６がプラスチックから作られるとき、これは、熱風ベント１２上での使用時に、製造物責任のためのＵＬ評価を得ることができる。プラスチックはまた、消費者にとっては、より見た目が美しい。可撓性プラスチック基部１６は、メール処理及び配達中に曲げられた場合も破損することなく、ベントバルーン１０を消費者に郵送することを可能にし、寸法のために、膨張可能基部に対する郵送コストの削減も可能になる。軽量のベントバルーン１０も、低い郵送コストを可能にする。
【００３５】
[00056]  本願を通して、米国特許を含む種々の刊行物が、著者及び年度別に、並びに特許が番号別に参照された。刊行物の全体引用は、以下に列挙される。これらの刊行物及び特許の開示は、その全体において、本発明が関わる最新技術をより完全に説明するために、参照することによって本願に組み込まれる。
【００３６】
[00057]  本発明は、例示的に説明されており、使用された専門用語は、限定ではなく、説明の用語の性質におけるものであることが意図されることを理解されたい。
【００３７】
[00058]  明らかに、本発明の多くの修正及び変形例が、前述の教示に照らして可能である。従って、添付の請求項の範囲内において、本発明は、具体的に説明される以外にも実践することができることを理解されたい。
【図１】
2020519940.tif 000003
【図２】
2020519940.tif 000004
【図３】
2020519940.tif 000005
【図４】
2020519940.tif 000006
【図５】
2020519940.tif 000007
【図６Ａ】
2020519940.tif 000008
【図６Ｂ】
2020519940.tif 000009
【図６Ｃ】
2020519940.tif 000010
【図６Ｄ】
2020519940.tif 000011
【図６Ｅ】
2020519940.tif 000012
【図６Ｆ】
2020519940.tif 000013
【図６Ｇ】
2020519940.tif 000014
【図７】
2020519940.tif 000015
【図８Ａ】
2020519940.tif 000016
【図８Ｂ】
2020519940.tif 000017
【図９Ａ】
2020519940.tif 000018
【図９Ｂ】
2020519940.tif 000019
【図１０】
2020519940.tif 000020
【図１１Ａ】
2020519940.tif 000021
【図１１Ｂ】
2020519940.tif 000022
【図１２】
2020519940.tif 000023
【図１３】
2020519940.tif 000024
【図１４】
2020519940.tif 000025
【図１５Ａ】
2020519940.tif 000026
【図１５Ｂ】
2020519940.tif 000027
【図１５Ｃ】
2020519940.tif 000028
【図１６Ａ】
2020519940.tif 000029
【図１６Ｂ】
2020519940.tif 000030
【図１６Ｃ】
2020519940.tif 000031
【図１７Ａ】
2020519940.tif 000032
【図１７Ｂ】
2020519940.tif 000033
【図１７Ｃ】
2020519940.tif 000034
【図１７Ｄ】
2020519940.tif 000035
【図１７Ｅ】
2020519940.tif 000036
【図１７Ｆ】
2020519940.tif 000037
【図１７Ｇ】
2020519940.tif 000038
【図１８Ａ】
2020519940.tif 000039
【図１８Ｂ】
2020519940.tif 000040
【図１８Ｃ】
2020519940.tif 000041
【図１８Ｄ】
2020519940.tif 000042
【図１８Ｅ】
2020519940.tif 000043
【図１９Ａ】
2020519940.tif 000044
【図１９Ｂ】
2020519940.tif 000045
【図２０】
2020519940.tif 000046
【図２１Ａ】
2020519940.tif 000047
【図２１Ｂ】
2020519940.tif 000048
【図２２Ａ】
2020519940.tif 000049
【図２２Ｂ】
2020519940.tif 000050
【図２２Ｃ】
2020519940.tif 000051
【図２２Ｄ】
2020519940.tif 000052
【国際調査報告】
2020519940.tif 000053